(57)【要約】【課題】簡易かつ確実に、保険代理店による保険契約の計上と受領した保険料の精算とを同時期に処理する。【解決手段】各代理店は、金融機関に口座を持っており、その口座に預金をしている。預金管理装置２００は、それらの口座の預金額を管理している。各代理店は、保険の契約が成立すると、端末３００〜３０２を用いて、保険料を含む保険契約情報を保険料精算用サーバ１００に送信する。保険料精算用サーバ１００は、預金管理装置２００と通信を行い、その代理店の口座から保険料を引き去るように要求する。預金管理装置２００は、その代理店の口座から保険料を引き去り、例えば、その引き去った分を、保険会社の口座に振り込む。各代理店は、保険料を所定の日時までに、自らの口座に振り込むようにする。【選択図】　　　　図１
2004110180.tif 000002
【特許請求の範囲】
【請求項１】
保険料の精算を行うための保険料精算用サーバであって、
保険料を含む保険契約情報の入力を受ける手段と、
代理店の預金を管理する預金管理装置と通信を行い、前記代理店の口座から前記保険料を引き去ることを要求する手段と
を備えることを特徴とする保険料精算用サーバ。
【請求項２】
請求項１に記載の保険料精算用サーバであって、前記保険契約情報の入力を受ける手段は、前記代理店の端末から前記保険契約情報を受信することを特徴とする保険料精算用サーバ。
【請求項３】
請求項２に記載の保険料精算用サーバであって、
前記代理店の口座の預金額を管理する手段と、
前記保険契約情報を受信した場合であって、前記保険料が前記預金額を上回った場合に、前記代理店の端末に通知を行う手段と
をさらに備えることを特徴とする保険料精算用サーバ。
【請求項４】
請求項１に記載の保険料精算用サーバであって、
前記預金管理装置から、前記代理店の口座への振込額を含む振込情報を受信する手段をさらに備えることを特徴とする保険料精算用サーバ。
【請求項５】
請求項４に記載の保険料精算用サーバであって、前記保険契約情報の入力を受ける手段は、前記代理店の端末から前記保険契約情報を受信することを特徴とする保険料精算用サーバ。
【請求項６】
請求項５に記載の保険料精算用サーバであって、
前記保険契約情報を受信した場合であって、所定の日時までに、当該保険契約情報に対応する振込情報を受信しない場合に、前記代理店の端末に通知を行う手段をさらに備えることを特徴とする保険料精算用サーバ。
【請求項７】
請求項５に記載の保険料精算用サーバであって、
前記保険契約情報を受信し、当該保険契約情報に対応する振込情報を受信した場合であって、当該保険契約情報の保険料と、当該振込情報の振込額とが一致しない場合に、前記代理店の端末に通知を行う手段をさらに備えることを特徴とする保険料精算用サーバ。
【請求項８】
請求項１に記載の保険料精算用サーバであって、
前記保険契約情報の保険料に基づいて、前記代理店がその口座に預金すべき金額を決定する手段をさらに備えることを特徴とする保険料精算用サーバ。
【請求項９】
請求項８に記載の保険料精算用サーバであって、
前記預金すべき金額を決定する手段は、前記保険料を一定期間集計し、その集計結果を用いて、前記預金すべき金額を決定することを特徴とする保険料精算用サーバ。
【請求項１０】
保険料の精算を行うための保険料精算用サーバにおける処理方法であって、
保険料を含む保険契約情報の入力を受けるステップと、
代理店の預金を管理する預金管理装置と通信を行い、前記代理店の口座から前記保険料を引き去ることを要求するステップと
を備えることを特徴とする処理方法。
【請求項１１】
請求項１０に記載の処理方法を前記保険料精算用サーバに実行させるためのプログラム。
【請求項１２】
請求項１０に記載の処理方法を前記保険料精算用サーバに実行させるためのプログラムを記録した記録媒体。
【発明の詳細な説明】
【０００１】
【発明の属する技術分野】
本発明は、保険料精算用サーバ、保険料精算用サーバにおける処理方法、プログラムおよび記録媒体に関し、より具体的には、受領した保険料の精算と保険契約の計上を同時期に処理するための保険料精算用サーバ、保険料精算用サーバにおける処理方法、プログラムおよび記録媒体に関する。
【０００２】
【従来の技術】
一般に、保険代理店により、保険契約が締結された後、保険会社への保険契約の計上は即日で行われるものの、受領した保険料は、保険料受領の都度の保険会社への送金による振込手数料の支払を避けるため、１ヶ月の間に受領した保険料をまとめて保険会社への送金を行っている。
【０００３】
上記のような方法では、計上された保険契約の保険料精算は最長で１ヶ月先となり時期が開いてしまう。時期が開くことにより、精算が即日でできない、送金された保険料に誤りがあった場合督促を行い適正な保険料を振り込んでもらうため更に精算が遅延する、代理店による保険料の不正使用等の不都合が生じている。
【０００４】
したがって、保険代理店による保険契約の計上と受領した保険料の精算とを、時期を開けずに同時期に処理する技術が望まれる。
【０００５】
これに関連して、代理店端末が、デビットカードを用いて、金融機関のコンピュータに対して、保険契約に関する決済を要求する発明がある（例えば、特許文献１参照）。
【０００６】
しかしながら、この方法では、各代理店端末に、金融機関のコンピュータとやりとりをする機能を設けなければならない。また、各代理店端末が保険契約に関する決済を適切に行わないと、保険会社の業務に支障をきたすことになる。
【０００７】
【特許文献１】
特開２００２−８３１３７号公報（第１８〜２１頁、図１〜２）
【０００８】
【発明が解決しようとする課題】
そこで、簡易かつ確実に、保険代理店による保険契約の計上と受領した保険料の精算とを同時期に処理することが望まれる。
【０００９】
本発明の目的は、簡易かつ確実に、保険代理店による保険契約の計上と受領した保険料の精算とを同時期に処理することである。
【００１０】
【課題を解決するための手段】
上記目的を達成するために、本発明に係る保険料精算用サーバは、保険料の精算を行うための保険料精算用サーバであって、保険料を含む保険契約情報の入力を受ける手段と、代理店の預金を管理する預金管理装置と通信を行い、前記代理店の口座から前記保険料を引き去ることを要求する手段とを備える。
【００１１】
ここで、前記保険契約情報の入力を受ける手段は、前記代理店の端末から前記保険契約情報を受信するものとすることができる。
【００１２】
ここで、前記保険料精算用サーバは、前記代理店の口座の預金額を管理する手段と、前記保険契約情報を受信した場合であって、前記保険料が前記預金額を上回った場合に、前記代理店の端末に通知を行う手段とをさらに備えるものとすることができる。
【００１３】
ここで、前記保険料精算用サーバは、前記預金管理装置から、前記代理店の口座への振込額を含む振込情報を受信する手段をさらに備えるものとすることができる。
【００１４】
ここで、前記保険契約情報の入力を受ける手段は、前記代理店の端末から前記保険契約情報を受信するものとすることができる。
【００１５】
ここで、前記保険料精算用サーバは、前記保険契約情報を受信した場合であって、所定の日時までに、当該保険契約情報に対応する振込情報を受信しない場合に、前記代理店の端末に通知を行う手段をさらに備えるものとすることができる。
【００１６】
ここで、前記保険料精算用サーバは、前記保険契約情報を受信し、当該保険契約情報に対応する振込情報を受信した場合であって、当該保険契約情報の保険料と、当該振込情報の振込額とが一致しない場合に、前記代理店の端末に通知を行う手段をさらに備えるものとすることができる。
【００１７】
ここで、前記保険料精算用サーバは、前記保険契約情報の保険料に基づいて、前記代理店がその口座に預金すべき金額を決定する手段をさらに備えるものとすることができる。
【００１８】
ここで、前記預金すべき金額を決定する手段は、前記保険料を一定期間集計し、その集計結果を用いて、前記預金すべき金額を決定するものとすることができる。
【００１９】
本発明に係る保険料精算用サーバにおける処理方法は、保険料の精算を行うための保険料精算用サーバにおける処理方法であって、保険料を含む保険契約情報の入力を受けるステップと、代理店の預金を管理する預金管理装置と通信を行い、前記代理店の口座から前記保険料を引き去ることを要求するステップとを備える。
【００２０】
本発明に係るプログラムは、前記処理方法を前記保険料精算用サーバに実行させるためのプログラムである。
【００２１】
本発明に係る記録媒体は、前記処理方法を前記保険料精算用サーバに実行させるためのプログラムを記録した記録媒体である。
【００２２】
以上の構成によれば、簡易かつ確実に、保険代理店による保険契約の計上と受領した保険料の精算とを同時期に処理することができる。
【００２３】
【発明の実施の形態】
以下、図面を参照しつつ本発明の実施の形態について詳しく説明する。
【００２４】
図１は、本実施形態における保険料精算システムの構成例を示す図である。図１に示す保険料精算システムには、保険会社の保険料精算用サーバ１００、金融機関の預金管理装置２００、および各代理店の端末３００、３０１、３０２等が含まれる。各サーバ、装置または端末は、ネットワーク１０を介して他のサーバ、装置または端末と通信を行うことができる。ネットワーク１０は、インターネット、公衆網、携帯電話網等を含むことが考えられる。
【００２５】
各代理店は、金融機関に口座を持っており、その口座に預金をしている。預金管理装置２００は、それらの口座の預金額を管理している。各代理店（の店員）は、保険の契約が成立すると、端末３００〜３０２を用いて、保険料を含む保険契約情報を保険料精算用サーバ１００に送信する。ここで、保険料とは、代理店の契約手数料を差し引いた後の、保険会社に支払われるべき料金を意味する。保険料精算用サーバ１００は、預金管理装置２００と通信を行い、その代理店の口座から保険料を引き去るように要求する。預金管理装置２００は、その代理店の口座から保険料を引き去り、例えば、その引き去った分を、保険会社の口座に振り込む。これにより、簡易かつ確実に、代理店による保険契約の計上と受領した保険料の精算とを同時期に処理することができる。
【００２６】
また、各代理店は、保険料を所定の日時（例えば、契約日の午後１２時）までに、自らの口座に振り込むようにする。保険料の精算（口座からの引去）の時期と保険料の振込期限との間を短くすれば、代理店の口座には、おおかたの時期において、一定の額が預金されていることになる。
【００２７】
なお、端末３００〜３０２としては、固定の端末（例えば、デスクトップ型のパーソナルコンピュータ等）のほかに、携帯端末（例えば、携帯電話、ＰＨＳ、およびこれらと携帯型コンピュータの組合せ等）の形態をとることも考えられる。携帯端末の場合には、基地局等を介して、ネットワーク１０に接続することになる。
【００２８】
図２は、本実施形態における保険料精算用サーバ１００の構成例を示す図である。保険料精算用サーバ１００は、ＣＰＵ（中央処理装置）１１２、主記憶装置１１４、補助記憶装置１１６、ネットワークインタフェース１１８、入力装置１２０、表示装置１２２、および印刷装置１２４を備える。保険料精算用サーバ１００は、例えば、パーソナルコンピュータ、ワークステーション等の形態をとることが考えられる。
【００２９】
ＣＰＵ１１２は、保険料精算用サーバ１００の各種制御を行う。主記憶装置１１４は、ＲＡＭやＲＯＭにより構成され、各種プログラム、各種データ等を記憶する。補助記憶装置１１６は、ハードディスク、フロッピー（登録商標）ディスク、光ディスク等の形態をとることができ、各種プログラム、各種データ等を記憶する。ネットワークインタフェース１１８には、ネットワークアダプタカード、モデム等を含めることができる。入力装置１２０は、キーボード、マウス等により構成される。表示装置１２２は、各種データ等の表示に用いられる。印刷装置１２４は、各種データ等を印刷する。
【００３０】
ＣＰＵ１１２は、主記憶装置１１４に記憶されたＯＳ（Ｏｐｅｒａｔｉｎｇ　Ｓｙｓｔｅｍ）等の制御プログラム、保険料精算のための各種処理を行うプログラムなどに基づいて処理を行う。これらのプログラムは、フロッピー（登録商標）ディスク、ＣＤ−ＲＯＭ、光ディスク等の記録媒体に記録しておき、実行前に主記憶装置１１４、ハードディスク等に読み込ませて実行されるようにすることができる。
【００３１】
保険料精算用サーバ１００は、ネットワークインタフェース１１８およびネットワークを介して、預金管理装置２００、および代理店の端末３００〜３０２と通信を行うことができる。
【００３２】
保険料精算用サーバ１００に、ＷＷＷ（Ｗｏｒｌｄ　Ｗｉｄｅ　Ｗｅｂ）サーバとしての機能を持たせれば、保険料精算用サーバ１００は、代理店の端末３００〜３０２と、ＨＴＴＰ（Ｈｙｐｅｒ　Ｔｅｘｔ　Ｔｒａｎｓｆｅｒ　Ｐｒｏｔｏｃｏｌ）に基づく通信を行うことができる。代理店の端末３００〜３０２のユーザは、保険料精算用サーバ１００が提供するウェブページ上でデータの入力等を行うことができる。
【００３３】
図３は、本実施形態における保険料精算用サーバ１００の機能ブロック図である。保険料精算用サーバ１００は、制御部１５２、通信部１５４および記憶部１６０を備える。制御部１５２は、通信部１５４を介して預金管理装置２００および端末３００〜３０２と通信を行うことができる。また、制御部１５２は、口座関連情報記憶部１６２、保険契約情報記憶部１６４、振込情報記憶部１６６、および日にち別情報記憶部１６８に対して、各情報の書き込みおよび読み出しを行うことができる。
【００３４】
図４は、本実施形態における預金管理装置２００の構成例を示す図である。預金管理装置２００も、保険料精算用サーバ１００と同様の構成をとることができる。預金管理装置２００は、ＣＰＵ（中央処理装置）２１２、主記憶装置２１４、補助記憶装置２１６、ネットワークインタフェース２１８、入力装置２２０、表示装置２２２、および印刷装置２２４を備える。預金管理装置２００は、例えば、ワークステーション等の形態をとることが考えられる。
【００３５】
ＣＰＵ２１２は、預金管理装置２００の各種制御を行う。主記憶装置２１４は、ＲＡＭやＲＯＭにより構成され、各種プログラム、各種データ等を記憶する。補助記憶装置２１６は、ハードディスク、フロッピー（登録商標）ディスク、光ディスク等の形態をとることができ、各種プログラム、各種データ等を記憶する。ネットワークインタフェース２１８には、ネットワークアダプタカード、モデム等を含めることができる。入力装置２２０は、キーボード、マウス等により構成される。表示装置２２２は、各種データ等の表示に用いられる。印刷装置２２４は、各種データ等を印刷する。
【００３６】
ＣＰＵ２１２は、主記憶装置２１４に記憶されたＯＳ等の制御プログラム、預金管理のための各種処理を行うプログラムなどに基づいて処理を行う。これらのプログラムは、フロッピー（登録商標）ディスク、ＣＤ−ＲＯＭ、光ディスク等の記録媒体に記録しておき、実行前に主記憶装置２１４、ハードディスク等に読み込ませて実行されるようにすることができる。
【００３７】
預金管理装置２００は、ネットワークインタフェース２１８およびネットワークを介して、保険料精算用サーバ１００、および代理店の端末３００〜３０２と通信を行うことができる。
【００３８】
図５は、本実施形態における預金管理装置２００の機能ブロック図である。預金管理装置２００は、制御部２５２、通信部２５４、入力部２５６および記憶部２６０を備える。制御部２５２は、通信部２５４を介して保険料精算用サーバ１００と通信を行うことができる。また、制御部２５２は、入力部２５６を介して、外部からデータを入力することができる。また、制御部２５２は、口座関連情報記憶部２６２に対して、口座関連情報の書き込みおよび読み出しを行うことができる。
【００３９】
図６は、本実施形態における端末３００の構成例を示す図である。ここでは、端末３００を例に説明するが、端末３０１および端末３０２についても同様である。端末３００も、保険料精算用サーバ１００や預金管理装置２００と同様の構成をとることができる。端末３００は、ＣＰＵ（中央処理装置）３１２、主記憶装置３１４、補助記憶装置３１６、ネットワークインタフェース３１８、入力装置３２０、表示装置３２２、および印刷装置３２４を備える。端末３００は、例えば、パーソナルコンピュータ、ワークステーション等のほか、携帯端末の形態をとることが考えられる。
【００４０】
ＣＰＵ３１２は、端末３００の各種制御を行う。主記憶装置３１４は、ＲＡＭやＲＯＭにより構成され、各種プログラム、各種データ等を記憶する。補助記憶装置３１６は、ハードディスク、フロッピー（登録商標）ディスク、光ディスク等の形態をとることができ、各種プログラム、各種データ等を記憶する。ネットワークインタフェース３１８には、ネットワークアダプタカード、モデム等を含めることができる。入力装置３２０は、キーボード、マウス等により構成される。表示装置３２２は、各種データ等の表示に用いられる。印刷装置３２４は、各種データ等を印刷する。
【００４１】
ＣＰＵ３１２は、主記憶装置３１４に記憶されたＯＳ等の制御プログラム、入力、通信等の各種処理を行うプログラムなどに基づいて処理を行う。これらのプログラムは、フロッピー（登録商標）ディスク、ＣＤ−ＲＯＭ、光ディスク等の記録媒体に記録しておき、実行前に主記憶装置３１４、ハードディスク等に読み込ませて実行されるようにすることができる。
【００４２】
端末３００は、ネットワークインタフェース３１８およびネットワークを介して、保険料精算用サーバ１００、および預金管理装置２００と通信を行うことができる。
【００４３】
図７は、本実施形態における端末３００の機能ブロック図である。端末３００は、制御部３５２、通信部３５４、入力部３５６、表示部３５８および記憶部３６０を備える。制御部３５２は、通信部３５４を介して保険料精算用サーバ１００と通信を行うことができる。また、制御部３５２は、入力部３５６を介して、外部からデータを入力することができる。また、制御部３５２は、表示部３５８を介して、データの入力画面等を表示することができる。また、制御部３５２は、保険契約情報記憶部３６２に対して、保険契約情報の書き込みおよび読み出しを行うことができる。
【００４４】
図８は、保険料精算用サーバ１００の口座関連情報記憶部１６２に記憶されている口座関連情報の例を示す図である。本実施形態において、保険料精算用サーバ１００は、各代理店識別情報に対して、口座識別情報、預金額および指定預金額を記憶、管理している。代理店識別情報は、代理店を識別するための情報であって、本実施形態では番号で表されている。ただし、文字、記号等を用いてもよい。口座識別情報は、口座を識別するための情報であって、本実施形態では番号で表されている。指定預金額は、各代理店が、その口座に常時預金しておくべき金額を意味する。通常、指定預金額と預金額とは一致しているが、保険料の精算（口座からの引去）を行ってから、保険料の振込が行われるまでの間は、両者が不一致となる（図８の代理店識別情報００６９の代理店を参照されたい）。
【００４５】
図９は、預金管理装置２００の口座関連情報記憶部２６２に記憶されている口座関連情報の例を示す図である。本実施形態において、預金管理装置２００は、各口座識別情報に対して、預金額を記憶、管理している。すなわち、各口座について、預金額を記憶、管理している。
【００４６】
図１０は、本実施形態における保険料精算に関連する処理の流れの例を示すフローチャートである。
【００４７】
保険の契約が成立すると、例えば、代理店の端末３００のユーザは、入力部３５６を介して、端末３００に保険契約情報を入力することができる（ステップＳ１０）。
【００４８】
図１１は、保険契約情報を入力するための画面の例を示す図である。図１１に示す画面が、端末３００の表示部３５８を介して表示される。図１１の例では、ユーザは、保険契約情報として、代理店識別情報、契約識別情報、保険料および契約日を入力する。
【００４９】
契約識別情報は、契約を識別するための情報であって、本実施形態では、数字および文字で表されている。例えば、各領収書に独自の番号を付与し、契約ごとに領収書を作成しているような場合には、契約識別情報として領収書番号を用いることもできる。
【００５０】
本実施形態では、保険契約情報として、代理店識別情報、契約識別情報、保険料および契約日の４つを入力しているが、さらに他の情報（例えば、契約の種別、契約者名など）をも、保険契約情報として入力するようにしてもよい。また、代理店識別情報については、あらかじめ入力しておき、保険契約情報を入力する度に入力しなくてもよいようにすることもできる。
【００５１】
代理店識別情報、契約識別情報、保険料および契約日を入力し、「ＯＫ」をマウスでクリックすると、それらからなる保険契約情報は、端末３００の保険契約情報記憶部３６２に記憶される。
【００５２】
そして、保険契約情報は、端末３００の通信部３５４を介して、保険料精算用サーバ１００に送信される（ステップＳ２０）。
【００５３】
保険料精算用サーバ１００は、保険契約情報を受信すると、保険契約情報を保険契約情報記憶部１６４に記憶する。制御部１５２は、保険契約情報の代理店識別情報により識別される代理店の預金額を、口座関連情報記憶部１６２にアクセスして取得する。
【００５４】
そして、取得した預金額が、保険契約情報の保険料以上であるか否かを判断する（ステップＳ３０）。預金額が保険料以上でない（預金額が保険料未満である）場合には、口座から引去を行うことができないので、保険料精算用サーバ１００の制御部１５２は、通信部１５４を介して、端末３００に、預金額が保険料未満である旨を通知する（ステップＳ４０）。端末３００では、例えば、表示部３５８を介して、預金額が保険料未満である旨を表示して、ユーザに警告することができる。
【００５５】
一方、預金額が保険料以上である場合には、ステップＳ５０に進む。
【００５６】
例えば、代理店識別情報００６８の代理店の預金額が図８のように６０００００円であり、保険料が図１１のように１００００円である場合には、預金額は保険料以上であるので、ステップＳ５０に進むことになる。
【００５７】
ステップＳ５０において、保険料精算用サーバ１００の制御部１５２は、通信部１５４を介して、預金管理装置２００と通信を行い、当該代理店の口座から保険料を引き去るように要求する。預金管理装置２００は、当該代理店の口座から保険料を引き去る。すなわち、預金管理装置２００の制御部２５２は、口座関連情報記憶部２６２にアクセスして、当該代理店の口座の預金額から保険料を減算する。
【００５８】
本実施形態においては、保険料精算用サーバ１００のみが、預金管理装置２００で管理する口座から引去をすることができるようにしている。したがって、代理店は、その口座に振り込みはできても、引去をすることはできない。これにより、代理店の口座に、常時一定の預金額を確保することができる。
【００５９】
また、本実施形態においては、保険会社も金融機関に口座を有しており、預金管理装置２００は、その口座の預金を管理している。預金管理装置２００は、代理店の口座から引き去った金額を、保険会社の口座に振り込む。
【００６０】
保険料精算用サーバ１００の方でも、制御部１５２は、口座関連情報記憶部１６２にアクセスして、当該代理店の預金額から保険料を減算する（ステップＳ６０）。
【００６１】
保険料の引去が終わった後、代理店は、所定の日時までに、自分の口座に保険料を振り込む。保険料を振り込む際には、契約識別情報を指定する。本実施形態においては、契約日の午後１２時を所定の日時として設定している。すなわち、代理店は、契約をしたその日のうちに保険料を振り込まなければならない。代理店の口座に、常時一定の預金額を確保するためには、所定の日時をなるべく早く設定することが重要である。
【００６２】
本実施形態において、代理店が口座に振込を行うと、振込情報（口座識別情報、契約識別情報および振込額）が入力部２５６を介して預金管理装置２００に入力される。振込情報は、例えば、預金管理装置２００のキーボードから入力されるものとしてもよいし、振込が行われた金融機関の本店または支店のコンピュータから受信（入力）するようにしてもよい。
【００６３】
図１２は、預金管理装置２００に入力される振込情報の例を示す図である。
【００６４】
預金管理装置２００の制御部２５２は、振込情報の入力を受けると、口座関連情報記憶部２６２にアクセスして、振込情報の口座識別情報により識別される口座の預金額に、振込情報の振込額を加算する。また、預金管理装置２００は、振込情報を保険料精算用サーバ１００に送信する。
【００６５】
保険料精算用サーバ１００の方では、すでに引去を終えた保険契約情報について、その保険契約情報に対応する振込情報が、所定の日時までに預金管理装置２００から送信されてくるか否かを監視する（ステップＳ７０）。
【００６６】
所定の日時までに、振込情報を受信しない場合、保険料精算用サーバ１００の制御部１５２は、通信部１５４を介して、端末３００に、振込が行われていない旨を通知する（ステップＳ８０）。端末３００では、例えば、表示部３５８を介して、振込が行われていない旨を表示して、ユーザに警告することができる。
【００６７】
所定の日時までに、振込情報を受信した場合、振込情報は振込情報記憶部１６６に記憶され、保険料精算用サーバ１００の制御部１５２は、振込情報の振込額が、振込情報に対応する保険契約情報の保険料と一致するか否かを判断する（ステップＳ９０）。
【００６８】
振込額と保険料とが一致しない場合、制御部１５２は、通信部１５４を介して、端末３００に、振込額と保険料とが一致しない旨を通知する（ステップＳ１００）。端末３００では、例えば、表示部３５８を介して、振込額と保険料とが一致しない旨を表示して、ユーザに警告することができる。
【００６９】
振込額と保険料とが一致する場合、制御部１５２は、口座関連情報記憶部２６２にアクセスして、当該代理店の口座の預金額に、振込情報の振込額を加算する（ステップＳ１１０）。
【００７０】
例えば、契約識別情報Ａ０００１２３の契約の保険料が図１１のように１００００円であり、振込額が図１２のように１００００円である場合、両者は一致しているといえる。
【００７１】
本実施形態において、保険料精算用サーバ１００は、保険契約の実績に応じて、各代理店の指定預金額（常時預金しておくべき金額）を変動させるようにしている。そのため、保険料精算用サーバ１００は、日にち別情報記憶部１６８に、各代理店の日にちごとの保険料（の合計）を記憶、管理している。日にちごとの保険料は、保険契約情報記憶部１６４に記憶されている保険契約情報から求めることができる。
【００７２】
代理店の指定預金額は、例えば、保険料を一定期間（１か月、１年等）集計し、その総額を、その間の稼働日数で割ることにより得られる金額とすることができる。また、例えば、保険料を一定期間集計し、その期間中における１日あたりの保険料の最大値を指定預金額とすることもできる。また、それらの値に修正係数を掛けた値を指定預金額とすることもできる。
【００７３】
図１３は、保険料精算用サーバ１００の日にち別情報記憶部１６８に記憶されている日にち別情報の例を示す図である。図１３の例において、例えば、１月の日にちごとの保険料を集計し、その総額（１月小計：２５００００円）を、１月の稼働日数で割って得られる金額を指定預金額とすることが考えられる。また、例えば、１年間の日にちごとの保険料を集計し、その総額（１月〜１２月合計：２００００００円）を、１年間の稼働日数で割って得られる金額を指定預金額とすることが考えられる。また、１年間の日にちごとの保険料を集計し、その最大値を指定預金額とすることも考えられる。
【００７４】
保険料精算用サーバ１００の制御部１５２は、指定預金額が新たに決定されると、決定された指定預金額を、通信部１５４を介して代理店の端末に通知する。
【００７５】
本実施形態において、保険料精算用サーバ１００への保険契約情報の入力は、保険契約情報を代理店の端末から受信することにより行っている。保険料精算用サーバ１００は、代理店の端末から保険契約情報を受信すると、保険料の引去のための処理を行う。ただし、例えば、保険会社が代理店から保険契約情報を紙ベースで受け取った場合に、保険会社の社員が、保険料精算用サーバ１００の入力装置１２０を介して保険契約情報を入力し、保険料精算用サーバ１００が、その入力された保険契約情報を用いて、保険料の引去のための処理を行うようにしてもよい。
【００７６】
【発明の効果】
以上説明したように本発明によれば、簡易かつ確実に、保険代理店による保険契約の計上と受領した保険料の精算とを同時期に処理することができる。
【図面の簡単な説明】
【図１】本発明の実施形態における保険料精算システムの構成例を示す図である。
【図２】本発明の実施形態における保険料精算用サーバ１００の構成例を示す図である。
【図３】本発明の実施形態における保険料精算用サーバ１００の機能ブロック図である。
【図４】本発明の実施形態における預金管理装置２００の構成例を示す図である。
【図５】本発明の実施形態における預金管理装置２００の機能ブロック図である。
【図６】本発明の実施形態における端末３００の構成例を示す図である。
【図７】本発明の実施形態における端末３００の機能ブロック図である。
【図８】保険料精算用サーバ１００の口座関連情報記憶部１６２に記憶されている口座関連情報の例を示す図である。
【図９】預金管理装置２００の口座関連情報記憶部２６２に記憶されている口座関連情報の例を示す図である。
【図１０】本発明の実施形態における保険料精算に関連する処理の流れの例を示すフローチャートである。
【図１１】保険契約情報を入力するための画面の例を示す図である。
【図１２】預金管理装置２００に入力される振込情報の例を示す図である。
【図１３】保険料精算用サーバ１００の日にち別情報記憶部１６８に記憶されている日にち別情報の例を示す図である。
【符号の説明】
１０　ネットワーク
１００　保険料精算用サーバ
１１２、２１２、３１２　ＣＰＵ
１１４、２１４、３１４　主記憶装置
１１６、２１６、３１６　補助記憶装置
１１８、２１８、３１８　ネットワークインタフェース
１２０、２２０、３２０　入力装置
１２２、２２２、３２２　表示装置
１２４、２２４、３２４　印刷装置
１５２、２５２、３５２　制御部
１５４、２５４、３５４　通信部
１６０、２６０、３６０　記憶部
１６２、２６２　口座関連情報記憶部
１６４、３６２　保険契約情報記憶部
１６６　振込情報記憶部
１６８　日にち別情報記憶部
２００　預金管理装置
２５６、３５６　入力部
３００〜３０２　端末
３５８　表示部
【図１】
2004110180.tif 000003
【図２】
2004110180.tif 000004
【図３】
2004110180.tif 000005
【図４】
2004110180.tif 000006
【図５】
2004110180.tif 000007
【図６】
2004110180.tif 000008
【図７】
2004110180.tif 000009
【図８】
2004110180.tif 000010
【図９】
2004110180.tif 000011
【図１０】
2004110180.tif 000012
【図１１】
2004110180.tif 000013
【図１２】
2004110180.tif 000014
【図１３】
2004110180.tif 000015